(57)【特許請求の範囲】
【請求項１】
光源と、前記光源から出射された光束の強度分布を均一化する光強度均一化素子と、前記光強度均一化素子から出射された光束を集光するレンズ群とを有する照明光学系と、
前記レンズ群で集光された光束が照射される画像形成領域を有し、前記画像形成領域に画像を形成する反射型ライトバルブと、
前記画像形成領域に形成された画像を拡大投写する投写光学系と
を備え、
前記レンズ群のうち前記照明光学系の光軸に垂直な面と前記画像形成領域に平行な面との交線を回転軸として回転した状態で保持されるレンズは、前記照明光学系の絞りの位置との関係に基づいて前記回転軸が通る頂点が設定され、前記光強度均一化素子から前記画像形成領域に入射する光束の量が増加するように、前記照明光学系の光軸に対して傾いていること
を特徴とする投写型表示装置。
【請求項２】
前記レンズは前記照明光学系の絞りの位置よりも前記画像形成領域側に配置された第１のレンズであると共に、前記回転軸は前記第１のレンズの第１の回転軸であり、
前記第１のレンズの第１の回転軸が通る頂点は、前記第１のレンズの出射面頂点であること
を特徴とする請求項１に記載の投写型表示装置。
【請求項３】
前記レンズは前記照明光学系の絞りの位置よりも前記光強度均一化素子側に配置された第２のレンズであると共に、前記回転軸は前記第２のレンズの第２の回転軸であり、
前記第２のレンズの第２の回転軸が通る頂点は、前記第２のレンズの入射面頂点であること
を特徴とする請求項１に記載の投写型表示装置。
【請求項４】
前記レンズ群は、前記第１のレンズと異なる第３のレンズをさらに有し、
前記第３のレンズは、前記照明光学系の絞りの位置よりも前記光強度均一化素子側に配置されると共に第３の回転軸で回転し、
前記第３のレンズの前記第３の回転軸が通る頂点は、前記第３のレンズの入射面頂点であること
を特徴とする請求項２に記載の投写型表示装置。
【請求項５】
前記画像形成領域を含む面と前記レンズの光軸との成す角が小さくなるように前記レンズを傾けて保持すること
を特徴とする請求項１乃至請求項４のいずれか１項に記載の投写型表示装置。
【請求項６】
光源と、
前記光源から出射された光束の強度分布を均一化する光強度均一化素子と、
画像形成領域を有し、前記光束に基づいて前記画像形成領域に画像を形成する反射型ライトバルブと、
前記光強度均一化素子から出射された光束を前記画像形成領域に導くレンズと、
前記画像形成領域に形成された画像を拡大投写する投写光学系と
を備え、
前記光強度均一化素子から前記画像形成領域に入射する光束の量が増加するように、前記レンズを、前記光源、前記光強度均一化素子、及び前記レンズを含む照明光学系の光軸に対し偏芯させて保持するようにしたこと
を特徴とする投写型表示装置。
【請求項７】
前記レンズを、前記照明光学系の光軸に垂直な面と前記照明光学系の光軸を含み前記画像形成領域に垂直な面との交線を移動軸として偏芯させること
を特徴とする請求項６に記載の投写型表示装置。
【請求項８】
前記レンズが前記照明光学系の絞りの位置よりも前記画像形成領域側に配置される場合、
前記レンズを、前記画像形成領域との距離が小さくなる方向に偏芯させること
を特徴とする請求項７に記載の投写型表示装置。
【請求項９】
前記レンズが前記照明光学系の絞りの位置よりも前記光強度均一化素子側に配置される場合、
前記レンズを、前記画像形成領域との距離が大きくなる方向に偏芯させること
を特徴とする請求項７に記載の投写型表示装置。
【発明の詳細な説明】
【技術分野】
【０００１】
本発明は、反射型ライトバルブを用いたスクリーン上に画像を投写する投写型表示装置に関する。
【背景技術】
【０００２】
従来の反射型ライトバルブを用いた投写型表示装置において、光強度均一化素子として矩形のライトトンネルを用いた場合、反射型ライトバルブ上に照射される光束は、矩形から大きく歪みを生じるため光利用効率が低くなるという問題があった。この問題を解決するため、テーパーを設けたくさび状のライトトンネルを使用しているものがある（例えば、特許文献１参照）。このライトトンネルは入射面側に断面積が連続的に減少するように形成されたテーパー部を有し、出射面は入射面に対して一定角度傾斜させることにより反射型ライトバルブ上に照射される光束が形成する照明領域の歪みを軽減している。
【先行技術文献】
【特許文献】
【０００３】
【特許文献１】特開２００６−２２８７１８号公報（段落００２０〜００３１、図６〜７）
【発明の概要】
【発明が解決しようとする課題】
【０００４】
しかし、このような光学系では、ライトトンネルの形状が複雑であるため、加工が困難であり高コスト化を招くという問題がある。
【０００５】
本発明は上記のような問題を解消するためになされたもので、低コストで、光利用効率の高い投写型表示装置を得ることを目的とする。
【課題を解決するための手段】
【０００６】
本発明に係る投写型表示装置は、光源と、光源から出射された光束の強度分布を均一化する光強度均一化素子と、光強度均一化素子から出射された光束を集光するレンズ群とを有する照明光学系と、レンズ群で集光された光束が照射される画像形成領域を有し、画像形成領域に画像を形成する反射型ライトバルブと、画像形成領域に形成された画像を拡大投写する投写光学系とを備え、レンズ群のうち照明光学系の光軸に垂直な面と画像形成領域に平行な面との交線を回転軸として回転した状態で保持されるレンズは、照明光学系の絞りの位置との関係に基づいて回転軸が通る頂点が設定され、光強度均一化素子から画像形成領域に入射する光束の量が増加するように、照明光学系の光軸に対して傾いていることを特徴とする。
【０００７】
また、本発明に係る投写型表示装置は、光源と、光源から出射された光束の強度分布を均一化する光強度均一化素子と、画像形成領域を有し、光束に基づいて画像形成領域に画像を形成する反射型ライトバルブと、光強度均一化素子から出射された光束を画像形成領域に導くレンズと、画像形成領域に形成された画像を拡大投写する投写光学系とを備え、光強度均一化素子から画像形成領域に入射する光束の量が増加するように、レンズを、光源、光強度均一化素子、及びレンズを含む照明光学系の光軸に対し偏芯させて保持することを特徴とする。
【発明の効果】
【０００８】
本発明に係る投写型表示装置によれば、光強度均一化素子から出射された光束の反射型ライトバルブ上に照射される面積が、レンズに入射する光束の光軸とレンズから出射する光束の光軸とが一致している場合よりも小さくなるように回転した状態で保持されるレンズについて、照明光学系の絞りの位置との関係に基づいて回転軸が通る頂点が設定されることで、レンズが照明光学系の光軸に対して傾いているので、低コストで、照明領域の歪みを抑えることができ、光利用効率を向上させることができるという効果が得られる。
【０００９】
また、光強度均一化素子から出射された光束の反射型ライトバルブ上に照射される面積が、レンズに入射する光束の光軸とレンズから出射する光束の光軸とが一致している場合よりも小さくなるように、レンズを偏心させて保持するので、低コストで、照明領域の歪みを抑えることができ、光利用効率を向上させることができるという効果が得られる。
【図面の簡単な説明】
【００１０】
【図１】従来の投写型表示装置の光学系の構成を概略的に示す図である。
【図２】従来の投写型表示装置の保持手段を示す斜視図である。
【図３】従来の投写型表示装置の光学系における光均一化素子の出射面を示す図である。
【図４】従来の投写型表示装置の光学系におけるＤＭＤ素子上の被照明面と、ＤＭＤ素子上の実照明領域とを概略的に示す図である。
【図５】本実施の形態１に係る投写型表示装置の光学系における光均一化素子の出射面とリレーレンズを回転させる際の軸線を概略的に示す図である。
【図６】本実施の形態１に係る投写型表示装置におけるリレーレンズの回転軸と回転中心を示す図である。
【図７】本実施の形態１に係る投写型表示装置の光学系におけるリレーレンズ７１について入射面頂点、出射面頂点を回転中心としそれぞれ回転させたときの光利用効率の変化を示す図である。
【図８】本実施の形態１に係る投写型表示装置の光学系におけるリレーレンズ７２について入射面頂点、出射面頂点を回転中心としそれぞれ回転させたときの光利用効率の変化を示す図である。
【図９】本実施の形態１に係る投写型表示装置の光学系におけるリレーレンズ７３について入射面頂点、出射面頂点を回転中心としそれぞれ回転させたときの光利用効率の変化を示す図である。
【図１０】本実施の形態１に係る投写型表示装置の光学系においてリレーレンズ７３を回転させた場合を示す図である。
【図１１】本実施の形態１に係る投写型表示装置の保持手段を示す斜視図である。
【図１２】本実施の形態１に係る投写型表示装置と従来の投写型表示装置とのレンズホルダの形状の違いを示す模式図である。
【図１３】実施の形態１に係る投写型表示装置の光学系においてリレーレンズ７３を回転させた場合のＤＭＤ素子上の被照明面と、ＤＭＤ素子上の実照明領域とを概略的に示す図である。
【図１４】本実施の形態１に係る投写型表示装置の光学系においてリレーレンズ７１を回転させた場合を示す図である。
【図１５】実施の形態１に係る他の投写型表示装置の保持手段を示す斜視図である。
【図１６】実施の形態１に係る他の投写型表示装置と従来の投写型表示装置とのレンズホルダの形状の違いを示す模式図である。
【図１７】実施の形態１に係る投写型表示装置の光学系においてリレーレンズ７１を回転させた場合のＤＭＤ素子上の被照明面と、ＤＭＤ素子上の実照明領域とを概略的に示す図である。
【図１８】本実施の形態１に係る投写型表示装置の光学系においてリレーレンズ７１、７３を回転させた場合を示す図である。
【図１９】実施の形態１に係る他の投写型表示装置の保持手段を示す斜視図である。
【図２０】実施の形態１に係る投写型表示装置の光学系においてリレーレンズ７１、７３を回転させた場合のＤＭＤ素子上の被照明面と、ＤＭＤ素子上の実照明領域とを概略的に示す図である。
【図２１】ＤＭＤ素子に光束が垂直に入射する場合の光学部品の配置を示す模式図である。
【図２２】ＤＭＤ素子に光束を垂直に入射させた場合の、ＤＭＤ素子に相当する位置での光束の断面図である。
【図２３】本実施の形態２に係る投写型表示装置の光学系においてリレーレンズ７１、７３を偏芯させた場合を示す図である。
【図２４】本実施の形態２に係る投写型表示装置の光学系における光均一化素子の出射面とリレーレンズを偏芯させる際の移動軸を概略的に示す図である。
【図２５】本実施の形態２に係る投写型表示装置におけるリレーレンズの偏芯方向を示す図である。
【図２６】本実施の形態２に係る投写型表示装置の光学系においてリレーレンズ７１、７２、７３それぞれについて偏芯させたときの光利用効率の変化を示す図である。
【図２７】実施の形態２に係る投写型表示装置の光学系においてリレーレンズ７１、７３を偏芯させた場合のＤＭＤ素子上の被照明面と、ＤＭＤ素子上の実照明領域とを概略的に示す図である。
【図２８】実施の形態２に係る投写型表示装置の保持手段を示す斜視図である。
【図２９】実施の形態２に係る投写型表示装置と従来の投写型表示装置とのレンズホルダの形状の違いを示す模式図である。
【図３０】実施の形態２に係る他の投写型表示装置と従来の投写型表示装置とのレンズホルダの形状の違いを示す模式図である。
【発明を実施するための形態】
【００１１】
実施の形態１．
図１は、従来の投写型表示装置１０ａの構成を概略的に示す図である。従来の投写型表示装置１０ａは、図１に示されるように、照明光学系１と、反射型ライトバルブとしてのＤＭＤ素子２と、照明光学系１により照明されたＤＭＤ素子２の被照明面（画像形成領域）２ｂの画像をスクリーン（図示せず）に投写する投写光学系３とを有している。照明光学系１は、発光体４ａより出射された光束をＤＭＤ素子２の被照明面２ｂに照射するための光学系である。照明光学系１は、光源ランプ４と、この光源ランプ４から出射された光束のうち特定の波長帯域の光束を通過させる回転カラーフィルタ５と、この回転カラーフィルタ５を透過した光束の当該光束断面内（すなわち、光束の中心軸に直交する平面内）における光強度分布を均一化する光強度均一化素子６と、リレーレンズ７１〜７３を含むリレーレンズ群７とを有している。リレーレンズ群７は光強度均一化素子６からの出射光束をＤＭＤ素子２に導く。
【００１２】
光源ランプ４は、例えば、石英ガラス等で形成された略球状のガラスバルブの略中央に位置する棒状の陽電極と陰電極の間のアーク放電により白色光を出射する発光体４ａと、この発光体４ａの周囲に設けられた楕円面鏡４ｂとから構成されている。楕円面鏡４ｂは、楕円の第１中心に対応する第１焦点から出射された光束を反射して、楕円の第２中心に対応する第２焦点に収束させるものである。発光体４ａは、楕円面鏡４ｂの第１焦点近傍に配置されており、この発光体４ａから出射された光束は、楕円面鏡４ｂの第２焦点近傍に収束される。楕円面鏡４ｂの第１焦点と第２焦点とを通る軸線により、照明光学系１の照明光軸１ａが規定される。なお、光源ランプ４は、図１に示した構成に限られず、例えば、楕円面鏡４ｂに代えて放物面鏡を用いてもよい。この場合には、発光体４ａから出射された光束を放物面鏡により略平行化したのち、コンデンサレンズにより収束させればよい。また、楕円面鏡４ｂの替わりとして放物面鏡以外の凹面鏡を用いることもできる。
【００１３】
回転カラーフィルタ５は、円盤状の部材を、例えば、扇状に３分割して、それぞれ赤、緑、及び青の３つのフィルタ領域としたものである。赤、緑、及び青の３つのフィルタ領域は、それぞれ赤色、緑色、及び青色の各波長帯域に対応する光束のみを通過させるものである。回転カラーフィルタ５は、照明光軸１ａと略平行な軸線５ａを中心として回転し、それぞれのフィルタ領域が光源ランプ４の照明光軸１ａ上において、楕円面鏡４ｂの第２焦点近傍に位置するように構成されている。この回転カラーフィルタ５を画像信号に同期して回転させることにより、赤色光、緑色光、及び青色光が順に（フィールドシーケンシャルに）ＤＭＤ素子２に照射される。なお、軸線５ａは、照明光軸１ａに対して角度を有していても構わない。
【００１４】
光強度均一化素子６は、回転カラーフィルタ５を通過した光束の、当該光束断面内における光強度分布を均一化する（すなわち、照度ムラを低減する）機能を有する。光強度均一化素子６としては、一般的に、ガラス又は樹脂等の透明材料で作られ、側壁内側が全反射面となるように構成された四角柱状のロッド（すなわち、断面形状が四角形の柱状部材）、又は、光反射面を内側にして筒状に組み合わされ、断面形状が四辺形のパイプ（管状部材）がある。光強度均一化素子６が四角柱状ロッドである場合には、透明材料と空気界面との全反射作用を利用して光を複数回反射させた後に出射端（出射口）から出射させる。光強度均一化素子６が四角形のパイプである場合には、内側を向く表面鏡の反射作用を利用して光を複数回反射させた後に、出射口から出射させる。光強度均一化素子６は、光束の進行方向に適当な長さを確保すれば、内部で複数回反射した光が光強度均一化素子６の出射端６ｂの近傍に重畳照射され、光強度均一化素子６の出射端６ｂ近傍においては、略均一な光強度分布が得られる。この略均一な光強度分布を有する出射端６ｂを、リレーレンズ群７によってＤＭＤ素子２へと導き、ＤＭＤ素子２の被照明面２ｂを照明する。
【００１５】
リレーレンズ群７は、光強度均一化素子６からＤＭＤ素子２に到る光路上に配置された１枚または、複数枚のリレーレンズにより構成されており、光強度均一化素子６より出射された光束をＤＭＤ素子２に集光させる。図１に示した例においては３枚のリレーレンズ７１、７２、７３により構成されている。
【００１６】
ＤＭＤ素子２は、各画素に対応する可動式のマイクロミラーを多数（例えば、数十万個）平面的に配列したものであり、画素情報に応じて各マイクロミラーの傾角（チルト）を変化させるように構成されている。マイクロミラーが配列された面（すなわち、マイクロミラーが形成された基板の表面）を基準面とすると、ＤＭＤ素子２は、各マイクロミラーを基準面に対して一定の方向に角度α（例えば、１２度）だけ傾けることにより、入射光束を投写光学系３に向けて反射し、投写光学系３に入射した光束はスクリーン（図示せず）上の画像投写に利用される。また、ＤＭＤ素子２は、またマイクロミラーを基準面に対して反対方向に角度αだけ傾けることにより、入射光束を投写光学系３から離れた位置に設けられた光吸収板（図示せず）に向けて反射し、光吸収板に入射した光束はスクリーン上の画像投写に利用されない。なお、ＤＭＤ素子２において多数のマイクロミラーが配列された領域は、照明光学系１により照明されて画像を形成する画像形成領域に相当する。
【００１７】
投写光学系３は、鏡筒３ｃ内にレンズ群（図示せず）を配置したものであり、その入射側開口部３ｂがＤＭＤ素子２に略対向している。投写光学系３のレンズ群の投写光軸３ａは、ＤＭＤ素子２の被照明面（画像形成領域）２ｂの中心を通る法線２ａに対して、平行でかつ所定量δずれている。つまり、照明光軸１ａと投写光軸３ａは角度を有している。
【００１８】
次にリレーレンズ７１、７２、７３を保持する構造について説明する。図２は、リレーレンズ７１、７２、７３とこれら３枚のリレーレンズを保持する保持手段とを示す図である。図１と同一または対応する構成には、同一の符号を付し、説明を省略する。
【００１９】
図２において、ベース部８には、レンズホルダ１８１、１８２、１８３がマグネシウムダイキャスト等により一体成形されている。レンズホルダ１８１には、リレーレンズ７１のエッジ厚み部分（コバ）７１ｂと対応し係合する形状の取り付け溝１８１ａが彫られている。
【００２０】
カバー１９１は、リレーレンズ７１のエッジ厚み部分に対応する形状の保持溝１９１ａが形成されたプラスティックカバーである。取り付け溝１８１ａにリレーレンズ７１を載置し、リレーレンズ７１の上からカバー１９１を被せることにより、カバー１９１の保持溝１９１ａとリレーレンズ７１の外形とが係合し、リレーレンズ７１を固定し保持することができる。このように、レンズホルダ１８１とカバー１９１とは、リレーレンズ７１を保持する保持部を構成している。
【００２１】
レンズホルダ１８２には、リレーレンズ７２のエッジ厚み部分（コバ）７２ｂと対応し係合する形状の取り付け溝１８２ａが彫られている。カバー１９２は、リレーレンズ７２のエッジ厚み部分に対応する形状の保持溝１９２ａが形成されたプラスティックカバーである。取り付け溝１８２ａにリレーレンズ７２を載置し、リレーレンズ７２の上からカバー１９２を被せることにより、カバー１９２の保持溝１９２ａとリレーレンズ７２の外形とが係合し、リレーレンズ７２を固定し保持することができる。このように、レンズホルダ１８２とカバー１９２とは、リレーレンズ７２を保持する保持部を構成している。
【００２２】
レンズホルダ１８３には、リレーレンズ７３のエッジ厚み部分（コバ）７３ｂに対応し係合する形状の取り付け溝１８３ａが彫られている。カバー１９３は、リレーレンズ７３のエッジ厚み部分に対応する形状の保持溝１９３ａが形成されたプラスティックカバーである。取り付け溝１８３ａにリレーレンズ７３を載置し、リレーレンズ７３の上からカバー１９３を被せることにより、カバー１９３の保持溝１９３ａとリレーレンズ７３の外形とが係合し、リレーレンズ７３を固定し保持することができる。このように、レンズホルダ１８３とカバー１９３とは、リレーレンズ７３を保持する保持部を構成している。
【００２３】
一般的な照明光学系（図１の照明光学系１に対応する照明光学系）においては、光強度均一化素子の断面形状は入射端（図１の入射端６ａに対応する入射端）から出射端（図１の出射端６ｂに対応する出射端）まで一定であり、ＤＭＤ素子２の被照明面２ｂと相似な矩形で形成されている。図３に光強度均一化素子６の出射面６ｂを示す。図３において、点Ａ１，Ｂ１，Ｃ１，Ｄ１は、ＤＭＤ素子２側より光強度均一化素子６の出射端に向かって見た場合の出射面６ｂの４隅（４つの角部）である。また、リレーレンズ群７が光軸１ａに対して垂直に配列されている。また、ＤＭＤ素子２を用いた照明光学系１においては、図１に示すように、リレーレンズ７３からＤＭＤ素子２の被照明面２ｂに対して垂直な法線方向（図１における軸線２ａ方向）に対して傾斜した斜め方向から照射するため、ＤＭＤ素子２の被照明面２ｂ上の実際の照明領域（実照明領域）は歪み、矩形ではなくなる。
【００２４】
図４に示されるように、光強度均一化素子６を用いたＤＭＤ素子２上の実照明領域２ｃはＤＭＤ素子２の被照明面２ｂの形状（矩形）に比べて歪んだ形状となっている。また、被照明面２ｂ外の領域（以後、照明マージンとする）が被照明面２ｂより大きい場合、被照明面２ｂ以外の部分においては照明光束がＤＭＤ素子２の有効領域（被照明面２ｂ）に照射されないため、投写光学系３に到達せず、光利用効率が低くなるという問題がある。
【００２５】
以上が従来例の説明である。次に実施の形態１に係る投写型表示装置の特徴部分について説明する。実施の形態１に係る投写型表示装置では、リレーレンズ群７のうち少なくとも１つのリレーレンズを光軸１ａに対して垂直ではなく、一定方向に回転させた状態で保持することにより、ＤＭＤ素子２上の実照明領域２ｃの歪んだ形状を改善し、光利用効率を向上させることが可能である。
【００２６】
ここで、リレーレンズの回転軸と回転中心について説明する。図４には、ＤＭＤ素子２の被照明面２ｂを投写光学系３側から見た場合の実照明領域２ｃの４隅（４つの角部）の点Ａ２，Ｂ２，Ｃ２，Ｄ２を示し、図５には、図４に示された点Ａ２，Ｂ２，Ｃ２，Ｄ２に対応する、ＤＭＤ素子２側より光強度均一化素子６の出射端に向かって見た場合の出射面６ｂの４隅（４つの角部）の点Ａ１，Ｂ１，Ｃ１，Ｄ１を示す。図４に示されるＤＭＤ素子２上の実照明領域２ｃの点Ａ２，Ｂ２，Ｃ２，Ｄ２はそれぞれ、光強度均一化素子６の出射面６ｂの点Ａ１，Ｂ１，Ｃ１，Ｄ１に対応する。回転させるリレーレンズの回転軸をそれぞれ図５に示すように点Ｂ１と点Ｃ１とを通る軸線ＢＣと平行となるようにした。また、回転中心はリレーレンズ７１、７２、７３それぞれの入射面頂点、または出射面頂点とした。
【００２７】
リレーレンズ７１、７２、７３それぞれについて入射面頂点を回転中心とし軸線ＢＣと平行な回転軸で回転させた場合と、出射面頂点を回転中心とし軸線ＢＣと平行な回転軸で回転させた場合の光利用効率の比較を行った。図６にそれぞれの回転軸と回転方向を示す。θ１はリレーレンズ７１において入射面頂点を回転中心とし軸線ＢＣと平行な回転軸での回転を示す。θ２はリレーレンズ７１において出射面頂点を回転中心とし軸線ＢＣと平行な回転軸での回転を示す。θ３はリレーレンズ７２において入射面頂点を回転中心とし軸線ＢＣと平行な回転軸での回転を示す。θ４はリレーレンズ７２において出射面頂点を回転中心とし軸線ＢＣと平行な回転軸での回転を示す。θ５はリレーレンズ７３において入射面頂点を回転中心とし軸線ＢＣと平行な回転軸での回転を示す。θ６はリレーレンズ７３において出射面頂点を回転中心とし軸線ＢＣと平行な回転軸での回転を示す。
【００２８】
図７にリレーレンズ７１を回転させた場合のシミュレーション結果を示す。縦軸は、回転をさせていない場合を１００％とした光利用効率の相対値を示す。ここでの光利用効率は、ＤＭＤ素子２の被照明面２ｂに照明される光量を光源ランプ４から出射された光量で割ったものである。横軸は、リレーレンズの回転角度を示す。曲線６１は、リレーレンズ７１をリレーレンズ７１の入射面頂点を回転中心として回転させた場合（θ１）、曲線６２は、リレーレンズ７１をリレーレンズ７１の出射面頂点を回転中心として回転させた場合（θ２）を示す。シミュレーション結果より、リレーレンズ７１の入射面頂点を通り軸線ＢＣと平行な回転軸において正の向きに２．４度回転させた場合（θ１＝２．４度）、効率が約０．５％向上する。このように、リレーレンズ７１のように照明光学系１の絞りの位置よりも光強度均一化素子６側に配置されるリレーレンズは、当該リレーレンズの入射面頂点を通る回転軸を中心として回転させることにより光利用効率を向上させることができる。なお、光強度均一化素子６の出射面６ｂの４隅から光軸と平行に出射した主光線が、光軸とおおよそ交わる位置が照明光学系１の絞り位置となる。
【００２９】
図８にリレーレンズ７２を回転させた場合のシミュレーション結果を示す。縦軸は、回転をさせていない場合を１００％とした光利用効率の相対値を示す。横軸は、リレーレンズの回転角度を示す。曲線６３は、リレーレンズ７２をリレーレンズ７２の入射面頂点を回転中心として回転させた場合（θ３）、曲線６４は、リレーレンズ７２をリレーレンズ７２の出射面頂点を回転中心として回転させた場合（θ４）を示す。シミュレーション結果よりリレーレンズ７２においては入射面頂点を回転中心とし軸線ＢＣと平行な回転軸において正の向きに２．４度回転させた場合（θ３＝２．４度）において効率が約０．２％しか向上しない。リレーレンズ７２の回転においては照明光学系１の絞り位置近傍のため、主光線に対する影響度が小さいため、照明領域の歪みを抑える効果が低いからである。
【００３０】
図９にリレーレンズ７３を回転させた場合のシミュレーション結果を示す。縦軸は、回転をさせていない場合を１００％とした光利用効率の相対値を示す。横軸は、リレーレンズの回転角度を示す。曲線６５は、リレーレンズ７３をリレーレンズ７３の入射面頂点を回転中心として回転させた場合（θ５）、曲線６６は、リレーレンズ７３をリレーレンズ７３の出射面頂点を回転中心として回転させた場合（θ６）を示す。シミュレーション結果よりリレーレンズ７３の出射面頂点を回転中心とし、軸線ＢＣと平行な回転軸において正の向きに４．６度回転させた場合（θ６＝４．６度）、効率が約１．４％向上する。このように、リレーレンズ７３のように照明光学系１の絞りの位置よりもＤＭＤ素子２側に配置されるリレーレンズは、当該リレーレンズの出射面頂点を通る回転軸を中心として回転させることにより光利用効率を向上させることができる。
【００３１】
上記より、リレーレンズ７１入射面頂点、あるいはリレーレンズ７３出射面頂点を通る回転軸を中心として、リレーレンズ７１あるいはリレーレンズ７３を、被照明面２ｂを含む面とリレーレンズ７１あるいはリレーレンズ７３の光軸との成す角が小さくなるように傾けた場合、光利用効率が向上する。光強度均一化素子６の出射端６ｂのＤ１とＡ１の倍率が異なることにより、歪みが軽減し光利用効率が向上することとなる。
【００３２】
図１０は、実施の形態１に係るある投写型表示装置１０ｂの構成を概略的に示す図、すなわち、照明光学系１においてリレーレンズ７３の出射面頂点を回転中心とし、軸線ＢＣ（図５に示す。）と平行に正の向きに４．６度回転させた場合（θ６＝４．６度）の模式図である。図１０において、図１と同一または対応する構成については、同一符号を付し、説明を省略する。
【００３３】
図１１は、図１０に示す投写型表示装置１０ｂにおいて、リレーレンズ７１、７２、７３とこれら３枚のリレーレンズを保持する保持手段とを示す図である。図１１において図２と同一または対応する構成には、同一の符号を付し、説明を省略する。図１１は、レンズホルダ１８３がレンズホルダ８３になっている点と、カバー１９３がカバー９３になっている点とが図２と異なっている。
【００３４】
次に、レンズホルダ８３とレンズホルダ１８３の構造の違いについて説明する。図１２は、レンズホルダ８３の形状と従来のレンズホルダ１８３の形状との違いを示す図である。図１２（ａ）はレンズホルダ８３とリレーレンズ７３の上面図であり、図１２（ｂ）は従来のレンズホルダ１８３とリレーレンズ７３の上面図である。
【００３５】
レンズホルダ８３の取り付け溝８３ａは、従来のレンズホルダ１８３の取り付け溝１８３ａよりもリレーレンズ７３の入射面頂点を中心として所定の角度θ６（＝４．６度）傾いて形成されている。そのため、リレーレンズ７３は、従来のレンズホルダ１８３に取り付けた状態よりも光軸がθ６（＝４．６度）だけ傾いた状態で、レンズホルダ８３に取り付けられている。
【００３６】
図１３に、被照明面２ｂと実照明領域２ｄ、２ｃとの関係を示す。図１３において、実照明領域２ｄは図１０に示す実施の形態１に係る投写型表示装置１０ｂにおけるＤＭＤ素子２上の実照明領域を示しており、実照明領域２ｃは図１に示す従来の投写型表示装置１０ａにおけるＤＭＤ素子２上の実照明領域を示している。
【００３７】
図１３より、実照明領域２ｄの領域は、リレーレンズを回転させない場合の実照明領域２ｃの領域と比較して小さくなっている。実照明領域２ｄは実照明領域２ｃに対して全体的に右下に移動しているが、特に点Ａ３が他の点に比べて大きく右下（内側）に移動していることにより歪みが軽減され実照明領域２ｄの面積が小さくなることで光利用効率が高くなっている。
【００３８】
図１４は、実施の形態１に係る他の投写型表示装置１０ｃの構成を概略的に示す図、すなわち、照明光学系１においてリレーレンズ７１の入射面頂点を回転中心とし、軸線ＢＣ（図５に示す。）と平行に正の向きに２．４度回転させた場合（θ１＝２．４度）の模式図である。図１４において、図１と同一または対応する構成については、同一符号を付し、説明を省略する。
【００３９】
図１５は、図１４に示す投写型表示装置１０ｃにおいて、リレーレンズ７１、７２、７３とこれら３枚のリレーレンズを保持する保持手段とを示す図である。図１５において図２と同一または対応する構成には、同一の符号を付し、説明を省略する。図１５は、レンズホルダ１８１がレンズホルダ８１になっている点と、カバー１９１がカバー９１になっている点とが図２と異なっている。
【００４０】
次に、レンズホルダ８１とレンズホルダ１８１の構造の違いについて説明する。図１６は、レンズホルダ８３の形状と従来のレンズホルダ１８３の形状との違いを示す図である。図１６（ａ）はレンズホルダ８１とリレーレンズ７１の上面図であり、図１６（ｂ）は従来のレンズホルダ１８１とリレーレンズ７１の上面図である。
【００４１】
レンズホルダ８１の取り付け溝８１ａは、従来のレンズホルダ１８１の取り付け溝１８１ａよりもリレーレンズ７１の入射面頂点を中心として所定の角度θ１（＝２．４度）傾いて形成されている。そのため、リレーレンズ７１は、従来のレンズホルダ１８１に取り付けた状態よりも光軸がθ１（＝２．４度）だけ傾いた状態で、レンズホルダ８１に取り付けられている。
【００４２】
図１７に、被照明面２ｂと実照明領域２ｄ、２ｃとの関係を示す。図１７において、実照明領域２ｄは図１４に示す実施の形態１に係る投写型表示装置１０ｃにおけるＤＭＤ素子２上の実照明領域を示しており、実照明領域２ｃは図１に示す従来の投写型表示装置１０ａにおけるＤＭＤ素子２上の実照明領域を示している。
【００４３】
図１７より、被照明面２ｄの領域は、リレーレンズを回転させない場合の実照明領域２ｃの領域と比較して小さくなっている。実照明領域２ｄは実照明領域２ｃに対して全体的に左上に移動しているが、点Ｄ３が他よりも大きく左上（内側）に移動していることにより歪みが軽減され実照明領域２ｄの面積が小さくなることで光利用効率が高くなっている。
【００４４】
図１８は、実施の形態１に係る他の投写型表示装置１０ｄの構成を概略的に示す図、すなわち、照明光学系１においてリレーレンズ７１の入射面頂点を回転中心とし、軸線ＢＣ（図５に示す。）と平行に正の向きに２．４度回転させ（θ１＝２．４度）、さらにリレーレンズ７３の出射面頂点を回転中心とし、軸線ＢＣ（図５に示す。）と平行に正の向きに４．６度回転させた場合（θ６＝４．６度）の模式図である。図１８において、図１と同一または対応する構成については、同一符号を付し、説明を省略する。
【００４５】
図１９は、図１８に示す投写型表示装置１０ｄにおいて、リレーレンズ７１、７２、７３とこれら３枚のリレーレンズを保持する保持手段とを示す図である。図１９において図２と同一または対応する構成には、同一の符号を付し、説明を省略する。図１９は、レンズホルダ１８１、１８３がレンズホルダ８１、８３になっている点と、カバー１９１、１９３がカバー９１、９３になっている点とが図２と異なっている。
【００４６】
図２０に、被照明面２ｂと実照明領域２ｄ、２ｃとの関係を示す。図２０において、実照明領域２ｄは図１８に示す実施の形態１に係る投写型表示装置１０ｄにおけるＤＭＤ素子２上の実照明領域を示しており、実照明領域２ｃは図１に示す従来の投写型表示装置１０ａにおけるＤＭＤ素子２上の実照明領域を示している。
【００４７】
図２０より、被照明面２ｄの領域は、リレーレンズを回転させない場合の実照明領域２ｃの領域と比較して小さくなっている。点Ｂ３及び点Ｃ３はほぼ移動せず、点Ａ３が右下（内側）に移動し、且つ点Ｄ３が左上（内側）に移動することにより実照明領域２ｄの面積が小さくなることで光利用効率が高くなっている。具体的にはリレーレンズ７１、且つリレーレンズ７３を回転させることにより光利用効率はシミュレーション上約１．５％向上することが確認できた。
【００４８】
回転角度θは投写光学系３のレンズ群の投写光軸３ａとＤＭＤ素子２の被照明面２ｂの中心を通る法線２ａとのずれ量δの大きさ、及び他のパラメータによって適宜決定することが望ましい。
【００４９】
以上より、リレーレンズ７１をリレーレンズ７１の入射面頂点を回転中心とし、図５に示す軸線ＢＣと平行に回転すること、またはリレーレンズ７３をリレーレンズ７３の出射面頂点を回転中心とし、軸線ＢＣと平行に回転すること、または、リレーレンズ７１をリレーレンズ７１の入射面頂点を回転中心とし、軸線ＢＣと平行に回転し、且つリレーレンズ７３をリレーレンズ７３の出射面頂点を回転中心とし、軸線ＢＣと平行に回転することにより光利用効率を高めることが可能となる。
【００５０】
次に、図２１及び図２２を用いて、リレーレンズの回転中心について説明する。図２１は、ＤＭＤ素子２に入射される光束が、本実施の形態のように傾いておらず、垂直に入射する場合の光学部品の配置を示す模式図である。図２１において、図１８と同一または対応する構成については同一の符号を付し、説明を省略する。図２１において、光強度均一化素子６の出射端６ｂとＤＭＤ素子２表面とは互いに共役な関係にあり、光強度均一化素子６の出射端６ｂとＤＭＤ素子２表面とは相似形になっている。そのため、光強度均一化素子６の出射端６ｂの中心から出射した光束はＤＭＤ素子２の中心に集光し、光強度均一化素子６の出射端６ｂの端部から出射した光束はＤＭＤ素子２の端部に集光する。図２２は、図２２に示す配置において、ＤＭＤ素子２に相当する位置での光束の断面図を示す図である。図２２において、（ａ）はリレーレンズを回転させない場合の光束の断面図、（ｂ）はリレーレンズ７１を入射面頂点で回転させた場合の光束の断面図、（ｃ）はリレーレンズ７１をレンズ中心で回転させた場合の光束の断面図、（ｄ）はリレーレンズ７１を出射面頂点で回転させた場合の光束の断面図を示している。図２２（ａ）〜（ｄ）において、実線は被照射面２ｂを表しており、被照射面２ｂの中央付近の点集合は光強度均一化素子６の出射端６ｂの中央から出射された光束の集光スポット、被照射面２ｂの四隅の点集合は光強度均一化素子６の出射端６ｂの四隅から出射された光束の集光スポットを表している。
【００５１】
リレーレンズを回転させない場合は、図２２（ａ）に示すように、光スポットは被照射面２ｂの中央及び四隅を中心として均一に分布する。リレーレンズ７１を入射面頂点で回転させた場合は、図２２（ｂ）に示すように、光束の集光スポットが中央よりも上側にシフトする。
リレーレンズ７１をレンズ中心で回転させた場合は、図２２（ｃ）に示すように、光束の集光スポットがほとんど移動しないため、照明エリアの位置を変化させることができず、効率向上が見込めないものと思われる。リレーレンズ７１を出射面頂点で回転させた場合は、図２２（ｂ）に示すように、光束の集光スポットが中央よりも下側にシフトする。図１０、１４、１８に示す構成では、光束の集光スポットが中央よりも上側にシフトする場合に光利用効率が高くなるので、リレーレンズ７１を入射面頂点で回転させた場合に最も光利用効率が高くなることが分かる。
【００５２】
以上より、リレーレンズ７１のように照明光学系１の絞りの位置よりも光強度均一化素子６側に配置されたリレーレンズでは、リレーレンズの中心から入射面頂点までの線分上の点を回転中心とすることにより光利用効率を向上させることができ、回転中心を入射面頂点としたときに最も効率を高くできることが分かる。また、リレーレンズ７３のように、照明光学系１の絞りの位置よりもＤＭＤ素子２側に配置されたリレーレンズでは、リレーレンズの中心から出射面頂点までの線分上の点を回転中心とすることにより光利用効率を向上させることができ、回転中心を出射面頂点としたときに最も効率を高くできることが分かる。また、いずれの場合も被照明面２ｂを含む面とリレーレンズの光軸との成す角が小さくなるようにリレーレンズを傾けることにより光利用効率を向上させることができる。
【００５３】
本実施の形態に係る投写型表示装置によれば、光強度均一化素子６から被照射面２ｂに入射する光束の量が増加するように、リレーレンズを、照明光学系１の光軸に対し傾けて保持することにより、光利用効率を高めることができる。
【００５４】
さらに、リレーレンズを軸中心に回転させるという簡単な構造で実現することができるため、低コストで実現することが可能である。
【００５５】
また、本実施の形態は、リレーレンズ７１及び／またはリレーレンズ７２を、照明光学系１の光軸に垂直な面と被照射面２ｂに平行な面との交線を回転軸として回転した状態で保持するようにしたので、実照明領域２ｄの面積が実照明領域２ｃよりも小さくなり、光強度均一化素子６から被照明面２ｂに入射する光束の量が増加することにより、光利用効率を高めることができる。
【００５６】
本実施の形態は、一例を示しており、実照明領域の歪みが大きい投写型表示装置であれば、さらに光利用効率を高める効果が得られる。
【００５７】
本実施の形態は、リレー光学系をリレーレンズ群７で示したが、リレー光学系にミラーを有していても同様の効果が得られる。リレー光学系にミラーを有する場合、回転させるリレーレンズとＤＭＤ素子２との位置関係がミラーの配置により変化してしまう。しかし、この場合においても、照明光学系１の絞りの位置よりも光強度均一化素子６側に配置されるリレーレンズを、当該リレーレンズの中心から入射面頂点までの線分上の点を通り、照明光学系１の光軸に垂直な面と被照明面２ｂに平行な面との交線を回転軸として傾けるようにすれば、光利用効率を高くすることが可能である。同様に、照明光学系１の絞りの位置よりも被照明面２ｂ側に配置されるリレーレンズを、当該リレーレンズの中心から出射面頂点までの線分上の点を通り、照明光学系１の光軸に垂直な面と被照明面２ｂに平行な面との交線を回転軸として傾けるようにすれば、光利用効率を高くすることが可能である。
【００５８】
実施の形態２．
図２３は、本実施の形態２の投写型表示装置１０ｅの構成の一例を概略的に示す図である。図において、投写型表示装置１０ｅは、照明光学系１と、反射型ライトバルブとしてのＤＭＤ素子２と、照明光学系１により照明されたＤＭＤ素子２の被照明面（画像形成領域）２ｂの画像をスクリーン（図示せず）に投写する投写光学系３とを有し、照明光学系１は、光源ランプ４と、この光源ランプ４から出射された光束のうち特定の波長帯域の光束を通過させる回転カラーフィルタ５と、この回転カラーフィルタ５を透過した光束の当該光束断面内（すなわち、中心光束に直交する平面内）における光強度分布を均一化する光強度均一化素子６と、リレーレンズ７１〜７３を含むリレーレンズ群７とを有している。図２３において、リレーレンズ群７以外は図１と同様であるので、同様の部分についての説明は省略する。
【００５９】
本実施の形態２ではリレーレンズ群７のうち少なくとも１つのリレーレンズを光軸１ａに対して、一定方向に偏芯させることにより、ＤＭＤ素子２上の実照明領域の歪んだ形状を改善し、光利用効率を向上させることが可能となる。
【００６０】
ここで、リレーレンズの偏芯させる方向について説明する。図２４には、ＤＭＤ素子２側より光強度均一化素子６の出射端に向かって見た場合の出射面６ｂを表す図である。図２３において、図５と同一の点については同一の符号を付し、説明を省略する。偏芯させるリレーレンズの移動軸をそれぞれ図２４に示す出射面６ｂの４隅（４つの角部）の点Ａ１，Ｂ１，Ｃ１，Ｄ１のうち、点Ａ１と点Ｄ１とを通る軸線ＡＤと平行となるようにした。
【００６１】
リレーレンズ７１、７２、７３それぞれについて軸線ＡＤと平行な向きで偏芯させた場合の光利用効率の比較を行った。図２５にそれぞれの偏芯方向を示す。７１ａはリレーレンズ７１において入射面頂点と出射面頂点とを結んだレンズ光軸を示す。７２ａはリレーレンズ７２において入射面頂点と出射面頂点とを結んだレンズ光軸を示す。７３ａはリレーレンズ７３において入射面頂点と出射面頂点とを結んだレンズ光軸を示す。
【００６２】
図２６にリレーレンズ７１、７２、７３それぞれについて軸線ＡＤと平行な向きで偏芯させた場合のシミュレーション結果を示す。縦軸は、偏芯をさせていない場合を１００％とした光利用効率の相対値を示す。横軸は、リレーレンズの偏芯量を示す。曲線６７は、リレーレンズ７１を軸線ＡＤと平行な向きで偏芯させた場合、曲線６８は、リレーレンズ７２を軸線ＡＤと平行な向きで偏芯させた場合、曲線６９は、リレーレンズ７３を軸線ＡＤと平行な向きで偏芯させた場合を示す。シミュレーション結果よりリレーレンズ７３を軸線ＡＤと平行で負の向きに０．３ｍｍ偏芯させた場合、効率が約０．２％向上する。また、リレーレンズ７１を軸線ＡＤと平行で正の向きに０．２ｍｍ偏芯させた場合、効率が約０．１％向上する。
【００６３】
このように、リレーレンズ７１のように照明光学系１の絞りの位置よりも光強度均一化素子６側に配置されるリレーレンズは、照明光学系１の光軸に垂直な面と被照明面２ｂに平行な面との交線を移動軸として、被照明面２ｂかとの距離が大きくなるように偏芯させることで光利用効率を高めることができる。また、リレーレンズ７３のように照明光学系１の絞りの位置よりも被照明面２ｂ側に配置されるリレーレンズは、照明光学系１の光軸に垂直な面と被照明面２ｂに平行な面との交線を移動軸として、被照明面２ｂとの距離が小さくなるように偏芯させることで光利用効率を高めることができる。
【００６４】
次に照明光学系１においてリレーレンズ７１を軸線ＡＤと平行な向きで正の向きに０．１５ｍｍ偏芯させ（７１ｓ＝０．１５ｍｍ）、さらにリレーレンズ７３を軸線ＡＤと平行な向きで負の向きに０．２ｍｍ偏芯させた場合（７３ｓ＝−０．２ｍｍ）のシミュレーションを行った。図２７に被照射面２ｂと実照明領域２ｄ、２ｃとの関係を示す。図２７より被照明面２ｄの領域がレンズを偏芯させない場合の被照明面２ｃの領域と比較して小さくなっている。点Ａ３、点Ｂ３及び点Ｃ３はほぼ移動せず、点Ｄ３が左上（内側）に移動することにより２ｄの面積が小さくなることで光利用効率が高くなっている。具体的にはリレーレンズ７１、且つリレーレンズ７３を偏芯させることにより光利用効率は計算上約０．３％向上することが確認できた。
【００６５】
図２８は、図２３に示す投写型表示装置１０ｅにおいて、リレーレンズ７１、７２、７３とこれら３枚のリレーレンズを保持する保持手段とを示す図である。図２８において図２０と同一または対応する構成には、同一の符号を付し、説明を省略する。図２８は、レンズホルダ１８３、１８１がレンズホルダ１０３、１０１になっている点と、カバー１９３、１９１がカバー１１３、１１１になっている点とが図２と異なっている。
【００６６】
次に、レンズホルダ１０１とレンズホルダ１８１の構造の違いについて説明する。図２９は、レンズホルダ１０１の形状と従来のレンズホルダ１８１の形状との違いを示す図である。図２９（ａ）はレンズホルダ１０１とリレーレンズ７１の上面図であり、図２９（ｂ）は従来のレンズホルダ１８１とリレーレンズ７１の上面図である。
【００６７】
レンズホルダ１０１の取り付け溝１０１ａは、従来のレンズホルダ１８１の取り付け溝１８１ａよりも所定の偏芯量７１ｓ（＝０．１５ｍｍ）ずらして形成されている。そのため、リレーレンズ７１は、従来のレンズホルダ１８１に取り付けた状態よりも光軸が７１ｓ（＝０．１５ｍｍ）だけずれた状態で、レンズホルダ１０１に取り付けられている。
【００６８】
次に、レンズホルダ１０３とレンズホルダ１８３の構造の違いについて説明する。図３０は、レンズホルダ１０３の形状と従来のレンズホルダ１８３の形状との違いを示す図である。図３０（ａ）はレンズホルダ１０３とリレーレンズ７３の上面図であり、図３０（ｂ）は従来のレンズホルダ１８３とリレーレンズ７３の上面図である。
【００６９】
レンズホルダ１０３の取り付け溝１０３ａは、従来のレンズホルダ１８３の取り付け溝１８３ａよりも所定の偏芯量７３ｓ（＝−０．２ｍｍ）ずらして形成されている。そのため、リレーレンズ７３は、従来のレンズホルダ１８３に取り付けた状態よりも光軸が７３ｓ（＝−０．２ｍｍ）だけずれた状態で、レンズホルダ１０３に取り付けられている。
【００７０】
図２９（ａ）及び図３０（ａ）における所定の偏芯量７１ｓ及び７３ｓは、投写光学系３のレンズ群の投写光軸３ａとＤＭＤ素子２の被照明面２ｂの中心を通る法線２ａとのずれ量δの大きさ、及び他のパラメータによって適宜決定することが望ましい。
【００７１】
以上より、リレーレンズ７１を軸線ＡＤと平行な方向に偏芯すること、またはリレーレンズ７３を軸線ＡＤと平行な方向に偏芯すること、または、リレーレンズ７１を軸線ＡＤと平行な方向に偏芯し、且つリレーレンズ７３を軸線ＡＤと平行な方向に偏芯することにより光利用効率を高めることが可能となる。
【００７２】
本実施の形態に係る投写型表示装置によれば、光強度均一化素子６から被照射面２ｂに入射する光束の量が増加するように、リレーレンズを、照明光学系１の光軸に対し偏芯させて保持することにより、光利用効率を高めることができる。
【００７３】
さらに、リレーレンズを軸線ＡＤと平行に偏芯させるという簡単な構造で実現することができるため、低コストで実現することが可能である。
【００７４】
本実施の形態は、一例を示しており、実照明領域の歪みが大きい投写型表示装置であれば、さらに効果が得られる。
【００７５】
本実施の形態は、リレー光学系をリレーレンズ群で示したが、リレー光学系にミラーを有していても同様の効果が得られる。リレー光学系にミラーを有する場合、偏心させるリレーレンズとＤＭＤ素子２との位置関係がミラーの配置により変化してしまう。しかし、この場合においても、照明光学系１の絞りの位置よりも光強度均一化素子６側に配置されるリレーレンズを、当該リレーレンズの中心から入射面頂点までの線分上の点を通り、照明光学系１の光軸に垂直な面と照明光学系１の光軸を含み被照明面２ｂに垂直な面との交線を移動軸として偏芯させることにより、光利用効率を高くすることが可能である。同様に、照明光学系１の絞りの位置よりも被照明面２ｂ側に配置されるリレーレンズを、当該リレーレンズの中心から出射面頂点までの線分上の点を通り、照明光学系１の光軸に垂直な面と照明光学系１の光軸を含み被照明面２ｂに垂直な面との交線を移動軸として偏芯させるようにすれば、光利用効率を高くすることが可能である。
【符号の説明】
【００７６】
１  照明光学系、  １ａ  照明光軸、  ２  ＤＭＤ素子、  ２ｂ  被照明面、  ２ｃ  従来の投写型表示装置の実照明領域、  ３  投写光学系、  ４  光源ランプ、  ５  回転カラーフィルタ、  ６  光強度均一化素子、  ６ａ  入射面、  ６ｂ  出射面、  ７  リレーレンズ群、  ８  ベース部、  １０ａ〜１０ｅ  投写型表示装置。
【図１】
0005532772.tif 000002
【図２】
0005532772.tif 000003
【図３】
0005532772.tif 000004
【図４】
0005532772.tif 000005
【図５】
0005532772.tif 000006
【図６】
0005532772.tif 000007
【図７】
0005532772.tif 000008
【図８】
0005532772.tif 000009
【図９】
0005532772.tif 000010
【図１０】
0005532772.tif 000011
【図１１】
0005532772.tif 000012
【図１２】
0005532772.tif 000013
【図１３】
0005532772.tif 000014
【図１４】
0005532772.tif 000015
【図１５】
0005532772.tif 000016
【図１６】
0005532772.tif 000017
【図１７】
0005532772.tif 000018
【図１８】
0005532772.tif 000019
【図１９】
0005532772.tif 000020
【図２０】
0005532772.tif 000021
【図２１】
0005532772.tif 000022
【図２２】
0005532772.tif 000023
【図２３】
0005532772.tif 000024
【図２４】
0005532772.tif 000025
【図２５】
0005532772.tif 000026
【図２６】
0005532772.tif 000027
【図２７】
0005532772.tif 000028
【図２８】
0005532772.tif 000029
【図２９】
0005532772.tif 000030
【図３０】
0005532772.tif 000031